(57)【要約】【課題】ＦＡＸ通信時に、接続した通信相手の機器が目的の機器であるかどうかの確認をＦＡＸ送信側で行い、誤接続した機器に通信内容を送信してしまうことを防止したＦＡＸ装置を提供する。【解決手段】通信内容が記録された紙媒体をユーザがスキャナ１０８にセットしてＦＡＸ番号を操作パネル１０９で指定すると、制御部１０３は、発呼処理を開始し、そのＦＡＸ番号を宛て先として呼出信号を相手方の機器に送信する。呼出信号を受信した相手方の機器から受信機情報が返信されると、制御部１０３は、今回返信された受信機情報と、操作パネル１０９で今回指定されたＦＡＸ番号にテーブル１０６Ａで対応する過去の受信機情報と、が一致するかどうか判定する。両受信機情報が一致しなければ、制御部１０３は、通信内容送信フェーズに遷移せずにＦＡＸ通信を切断して、画像データの送信を禁止する。【選択図】  図４
2009188709.tif 000002
【特許請求の範囲】
【請求項１】
セットされた紙媒体から画像を読取る読取部と、
ＦＡＸ番号の指定を受付ける番号指定部と、
前記番号指定部で指定された前記ＦＡＸ番号を宛て先として、前記読取部で読取られた画像信号の伝送開始を知らせる呼出信号を電話回線を介して送信し、前記呼出信号を受信した受信機から送信される受信機情報を受信してから、前記画像信号を前記電話回線を介して送信する通信部と、を備えるＦＡＸ装置であって、
前記番号指定部で指定された前記ＦＡＸ番号と、前記受信機から送信された前記受信機情報と、を対応付けて記憶するテーブルを備え、
前記通信部は、
前記受信機情報を受信した時、今回のその受信機情報と、前記番号指定部で今回指定された前記ＦＡＸ番号に対応する過去の受信機情報と、が一致するかどうか前記テーブルに基づいて判定し、
両受信機情報が一致すれば、前記画像信号を前記電話回線を介して送信し、
両受信機情報が一致しなければ、前記画像信号の送信を禁止することを特徴とするＦＡＸ装置。
【請求項２】
前記受信機情報は、前記受信機に設定された電話番号を示す設定番号情報を含むことを特徴とする請求項１に記載のＦＡＸ装置。
【請求項３】
前記受信機情報は、前記受信機を製造したメーカー名、および前記受信機の機種の内の少なくとも一方を示す機器特定情報を含むことを特徴とする請求項１又は２に記載のＦＡＸ装置。
【請求項４】
前記受信機情報は、前記受信機で設定されている機能を示す設定機能情報を含むことを特徴とする請求項１から３のいずれかに記載のＦＡＸ装置。
【請求項５】
前記通信部は、
両受信機情報が一致しないと判定した時、今回の受信機情報を前回の受信機情報として記憶する記憶部を有するとともに、前記呼出信号を前記電話回線を介して再送信し、
前記受信機情報を再受信した時、再受信した受信機情報と、前記記憶部に記憶されている前記前回の受信機情報と、が全て一致するかどうか判定し、
両者が全て一致すれば、前記テーブルに記憶されている前記過去の受信機情報を前記再受信した受信機情報で上書きし、前記テーブルの内容を最新の情報に更新することを特徴とする請求項１から４のいずれかに記載のＦＡＸ装置。
【発明の詳細な説明】
【技術分野】
【０００１】
本発明は、ＦＡＸ通信時に、接続した通信相手の機器が目的の機器であるかどうかの確認を行うＦＡＸ装置に関するものである。
【背景技術】
【０００２】
従来より、紙媒体から画像を読取って、その画像信号を、指定されたＦＡＸ番号を宛て先として送信するＦＡＸ装置が一般に広く普及している。このようなＦＡＸ通信においては、ユーザが正しいＦＡＸ番号を指定しても、ＦＡＸ装置が誤った機器に接続されてしまうことがある。この場合にその誤接続した機器に画像信号が送信されてしまうと、通信内容が第三者に漏れてしまうことになる。また、誤送信した先にも迷惑をかけることになる。
【０００３】
そこで、特許文献１に示すような通信相手照合方式が提案されている。この通信相手照合方式では、まず、送信側のＦＡＸ装置が所定の識別コードを画像信号に含めて画像信号を送信する。次に、受信側のＦＡＸ装置が、送信側のＦＡＸ装置から送信されてきた画像信号に含まれる識別コードと、予め受信側のＦＡＸ装置に設定されている識別コードと、を照合する。そして、照合の結果、両コードが一致しなかった場合、受信側のＦＡＸ装置が、送信側のＦＡＸ装置との通信を切断する。
【特許文献１】特開平６−３３４８２６号公報
【発明の開示】
【発明が解決しようとする課題】
【０００４】
しかしながら、上記の通信相手照合方式では、送信側のＦＡＸ装置で、接続した通信相手の機器が本当に目的の機器であるかどうかの確認を行うことができない。そのため、受信側のＦＡＸ装置がこの通信相手照合方式に対応していなければ、誤ってその対応していないＦＡＸ装置に接続された場合、そのＦＡＸ装置に通信内容を送信してしまうことになる。
以上より、上述の従来例では、誤った機器に接続された場合、その誤接続した機器に通信内容を送信してしまうことがあった。従って、通信内容が第三者に漏れてしまうという問題があった。
【０００５】
本発明は、ＦＡＸ通信時に、接続した通信相手の機器が目的の機器であるかどうかの確認をＦＡＸ送信側で行い、誤接続した機器に通信内容を送信してしまうことを防止したＦＡＸ装置を提供することを目的とする。
【課題を解決するための手段】
【０００６】
本発明のＦＡＸ装置は、前記課題を解決するために以下の構成を備えている。
【０００７】
(１)セットされた紙媒体から画像を読取る読取部と、
ＦＡＸ番号の指定を受付ける番号指定部と、
前記番号指定部で指定された前記ＦＡＸ番号を宛て先として、前記読取部で読取られた画像信号の伝送開始を知らせる呼出信号を電話回線を介して送信し、前記呼出信号を受信した受信機から送信される受信機情報を受信してから、前記画像信号を前記電話回線を介して送信する通信部と、を備えるＦＡＸ装置であって、
前記番号指定部で指定された前記ＦＡＸ番号と、前記受信機から送信された前記受信機情報と、を対応付けて記憶するテーブルを備え、
前記通信部は、
前記受信機情報を受信した時、今回のその受信機情報と、前記番号指定部で今回指定された前記ＦＡＸ番号に対応する過去の受信機情報と、が一致するかどうか前記テーブルに基づいて判定し、
両受信機情報が一致すれば、前記画像信号を前記電話回線を介して送信し、
両受信機情報が一致しなければ、前記画像信号の送信を禁止することを特徴とする。
【０００８】
この構成では、通信内容が記録された紙媒体をユーザが読取部にセットしてＦＡＸ番号を番号指定部で指定する。すると、そのＦＡＸ番号を宛て先として呼出信号が送信され、受信機情報が受信機から返信された後、画像信号が送信される。呼出信号とは、データ通信において送受信の同期をとるための信号である。
ここで、上記ＦＡＸ通信においては、その画像信号を受信機に送信する前に、今回と過去の受信機情報が一致するかどうかがテーブルに基づいて判定される。この判定では、通信部が、接続した通信相手の機器が目的の機器であるかどうかの確認を行っている。今回と過去の受信機情報が一致すれば、目的の機器であるので、画像信号が送信される。一方、今回と過去の受信機情報が一致しなければ、今回の接続が誤接続である可能性が高いので、画像信号の送信が禁止される。
これにより、誤接続した機器に通信内容を送信してしまうことを防止できる。従って、通信内容が第三者に漏れてしまうのを防止できる。
【０００９】
(２)前記受信機情報は、前記受信機に設定された電話番号を示す設定番号情報を含むことを特徴とする。
【００１０】
この構成では、受信機に設定された電話番号が異なっている場合には、今回の接続が誤接続であると通信部が判定できる。よって、誤接続した機器に通信内容を送信してしまうことを防止できる。
【００１１】
(３)前記受信機情報は、前記受信機を製造したメーカー名、および前記受信機の機種の内の少なくとも一方を示す機器特定情報を含むことを特徴とする。
【００１２】
この構成では、設定番号情報の登録が受信機側でされていない場合でも、受信機側の機種等が異なっている場合には、今回の接続が誤接続であると通信部が判定できる。よって、誤接続した機器に通信内容を送信してしまうことを防止できる。
【００１３】
(４)前記受信機情報は、前記受信機で設定されている機能を示す設定機能情報を含むことを特徴とする。
【００１４】
この構成では、設定番号情報や機器特定情報の登録が受信機側でされていない場合でも、受信機側で設定されている機能が今回と過去で異なっている場合には、今回の接続が誤接続であると通信部が判定できる。よって、誤接続した機器に通信内容を送信してしまうことを防止できる。
【００１５】
(５)前記通信部は、
両受信機情報が一致しないと判定した時、今回の受信機情報を前回の受信機情報として記憶する記憶部を有するとともに、前記呼出信号を前記電話回線を介して再送信し、
前記受信機情報を再受信した時、再受信した受信機情報と、前記記憶部に記憶されている前記前回の受信機情報と、が全て一致するかどうか判定し、
両者が全て一致すれば、前記テーブルに記憶されている前記過去の受信機情報を前記再受信した受信機情報で上書きし、前記テーブルの内容を最新の情報に更新することを特徴とする。
【００１６】
相手側のＦＡＸ装置が、新しいＦＡＸ装置に入れ替わることもある。
そこで、この構成における通信部は、両受信機情報が一致しないと判定した時、呼出信号を再送信して受信機情報を再受信し、今回と前回の２回続けて受信機情報が同じであるかどうか判定する。今回と前回の２回続けて受信機情報が同じであるということは、誤接続でなく、相手側のＦＡＸ装置が新しいＦＡＸ装置に入れ替わった可能性が高い。そこで、今回と前回の２回続けて受信機情報が同じである場合、通信部は、相手側のＦＡＸ装置が入れ替わったとみなしてテーブルの内容を再受信した受信機情報で最新の情報に更新する。
これにより、相手側のＦＡＸ装置が新しいＦＡＸ装置に入れ替わった場合でも、受信機情報が自動的に最新の情報に更新される。そのため、次回以降のＦＡＸ通信時にも、接続した通信相手の機器が目的の機器であるかどうかの確認を行うことができる。よって、誤接続した機器に通信内容を送信してしまうことを防止できる。
【発明の効果】
【００１７】
本発明によれば、誤接続した機器に通信内容を送信してしまうことを防止できる。従って、通信内容が第三者に漏れてしまうのを防止できる。
【発明を実施するための最良の形態】
【００１８】
以下、本発明の実施形態であるファクシミリ装置について説明する。
【００１９】
図１は、本発明の実施形態であるファクシミリ装置の主要部の構成を示すブロック図である。ファクシミリ装置１００は、電話回線１２０と接続されるインタフェース１０１と、画像信号の送受信を行う回線制御回路１０２と、装置本体各部の動作を制御する制御部１０３と、画像データを記憶する画像メモリ１０５と、後述の受信機情報とＦＡＸ番号とを記憶する登録メモリ１０６と、画像を紙媒体に印字する印字部１０７と、セットされた紙媒体から画像を読取るスキャナ１０８と、ユーザによる操作入力を受付ける操作パネル１０９と、装置本体各部に駆動電源を供給する電源部１１０と、を備える。
ファクシミリ装置１００は、ファクシミリ装置２００を含む複数のファクシミリ装置のいずれかに、電話回線１２０を介してＦＡＸを送受信する。
【００２０】
ここで、スキャナ１０８が、本発明の「読取部」に相当する。また、操作パネル１０９が、本発明の「番号指定部」に相当する。また、インタフェース１０１、回線制御回路１０２、及び制御部１０３が、本発明の「通信部」に相当する。
【００２１】
制御部１０３は、例えばＣＰＵで構成される。また、制御部１０３は、装置本体各部の制御方法示す制御プログラムを記憶するＲＯＭ１０４Ａと、その制御プログラムで処理されるデータを展開するためのワークフィールドとしてのＲＡＭ１０４Ｂと、を内蔵する。そして、制御部１０３は、その制御プログラムに従って装置本体各部の動作を制御する。
【００２２】
操作パネル１０９は、ＦＡＸ番号の指定を受付ける。操作パネル１０９で入力された命令は、制御部１０３に伝送される。制御部１０３は、伝送された命令に従って、装置本体各部の動作を制御する。
【００２３】
電源部１１０は、ファクシミリ装置１００が電源オン状態である場合、商用電源から駆動電源を取り込んでファクシミリ装置１００の各部に電源を供給する。
【００２４】
ここで、ＦＡＸの送受信に関する構成から説明する。
インタフェース１０１は、電話回線１２０に接続されている。
回線制御回路１０２は、インタフェース１０１から入力されてくる信号に基づいて、ＦＡＸ受信の開始を示す呼出信号の有無を判断する。呼出信号とは、データ通信において送受信の同期をとるための信号である。そして、呼出信号があった場合、回線制御回路１０２は、インタフェース１０１を介して、相手方のファクシミリ装置２００から電話回線１２０を介して伝送されてくる信号（画像データを含む）を受信する。そして、回線制御回路１０２は、この信号を復調して画像データを取り出し、制御部１０３に出力する。制御部１０３は、入力された画像データを（例えばランレングス符号で）復号し、画像メモリ１０５に記録する。画像メモリ１０５は、例えばＶＲＡＭで構成される。印字部１０７は、画像メモリ１０５に記録されている画像データに基づいて紙媒体に印字する。
【００２５】
一方、ＦＡＸ送信時では、制御部１０３は、画像メモリ１０５内の画像データの符号化（例えばランレングス符号で）を行い、回線制御回路１０２に出力する。この画像データは、スキャナ１０８で予め読取られて画像メモリ１０５に格納されたデータである。次に、回線制御回路１０２は、入力されてきた画像データを変調する。そして、回線制御回路１０２は、画像データを、インタフェース１０１から電話回線１２０を介して相手方のファクシミリ装置２００に送信する。
【００２６】
ここで、ＦＡＸ送信の流れについて説明する。
図２は、本発明の実施形態であるファクシミリ装置の伝送手順を示す図である。ファクシミリ装置１００は、図２に示す伝送手順に従って画像データを相手方のファクシミリ装置２００に送信する。この伝送手順は、ＦＡＸ通信を開始する呼出フェーズと、画像データを送信する通信内容送信フェーズと、ＦＡＸ通信を終了する通信切断フェーズと、の３つのフェーズから成る。ＦＡＸ通信では、呼出フェーズから通信切断フェーズまで遷移していくことで画像データが相手方のファクシミリ装置２００に送信される。
【００２７】
まず、呼出フェーズでは、通信文が記述された紙媒体をユーザがスキャナ１０８にセットしてＦＡＸ番号を操作パネル１０９で指定すると、ファクシミリ装置１００が、そのＦＡＸ番号を宛て先として呼出信号であるＣＮＧ信号を送信する。ＣＮＧ信号を受信したファクシミリ装置２００は、ＣＥＤ信号を返信する。これにより、ＦＡＸ通信が開始し、ファクシミリ装置１００とファクシミリ装置２００とが接続する。さらに、ファクシミリ装置２００は、ＣＳＩ信号、ＮＳＦ信号、及びＤＩＳ信号を受信機情報として送信する。ここで、ＣＳＩ信号は、受信側の機器に設定された電話番号を示す信号である。また、ＮＳＦ信号は、受信側の機器を製造したメーカー名、および受信側の機器の機種の内の少なくとも一方を示す信号である。また、ＤＩＳ信号は、受信側の機器で設定されている機能を示す信号である。次に、このＤＩＳ信号を受信したファクシミリ装置１００は、ＤＩＳ信号が示している機能の中から今回のＦＡＸ送信で使用する機能を選択し、その機能を示すＤＣＳ信号をファクシミリ装置２００に送信する。さらに、ファクシミリ装置１００は、ＤＣＳ信号を送信した後、高速モデムに切り替えるためのトレーニング信号を送信する。ファクシミリ装置２００は、トレーニング信号を受信し、モデムの調整が終了すると、受信準備が完了したことを示すＣＦＲ信号を送信側のファクシミリ装置１００に送信する。これにより、ＦＡＸ通信は通信内容送信フェーズに遷移する。
なお、上記のＣＳＩ信号及びＮＳＦ信号はオプションであり、送信しないタイプのファクシミリ装置もある。ここで、ＣＳＩ信号が、本発明の「設定番号情報」に相当する。また、ＮＳＦ信号が、本発明の「機器特定情報」に相当する。また、ＤＩＳ信号が、本発明の「設定機能情報」に相当する。
【００２８】
次に、通信内容送信フェーズでは、ＣＦＲ信号を受信すると、ファクシミリ装置１００が、画像データの一部である符号化データを送信する。この符号化データを送信後、ファクシミリ装置１００は、制御信号をファクシミリ装置２００に送信する。制御信号は、続きの符号化データがあることを示すＮＵＬＬ信号、次のページがあることを示すＭＰＳ信号、送信したページが最終ページであることを示すＥＯＰ信号、の内のいずれかである。受信側のファクシミリ装置２００はこれらの制御信号を受け取る毎に、確認のためのＭＣＦ信号をファクシミリ装置１００に返信する。
【００２９】
最後に、通信切断フェーズでは、ファクシミリ装置１００は、通信切断を示すＤＣＮ信号をファクシミリ装置２００に送信し、通信の切断を行う。これにより、ＦＡＸ通信が終了し、ファクシミリ装置１００とファクシミリ装置２００との接続が切れる。
【００３０】
以上のような流れで、ＦＡＸ送信が行われる。
しかしながら、ユーザが正しいＦＡＸ番号を指定しても、ファクシミリ装置１００が誤った機器に接続されてしまうことがある。この場合にその誤接続した機器に画像信号が送信されてしまうと、通信内容が第三者に漏れてしまうことになる。
【００３１】
そこで、本実施形態では、図３に示すようなテーブル１０６Ａを記憶する登録メモリ１０６を設けている。
図３は、登録メモリ１０６に記憶されているテーブル１０６Ａの内容を示す図である。登録メモリ１０６は、例えばフラッシュメモリで構成される。また、テーブル１０６Ａは、操作パネル１０９で指定されたＦＡＸ番号と、受信側の機器から送信された受信機情報と、を対応付けて記憶するテーブルである。テーブル１０６Ａの内容は、図４のＳ１〜Ｓ５の手順で作成される。
【００３２】
図４は、本発明の実施形態であるファクシミリ装置の制御部が行う動作を示すフローチャートである。この動作は、ユーザが紙媒体をスキャナ１０８にセットしてからＦＡＸ番号を操作パネル１０９で指定した時の動作である。また、図４のＳ２〜Ｓ６の各処理は、図２の呼出フェーズで行われる処理であり、Ｓ７の処理は、図２の通信内容送信フェーズで行われる処理であり、Ｓ８の動作は、図２の通信切断フェーズで行われる処理である。
【００３３】
まず、制御部１０３は、ＦＡＸ番号が操作パネル１０９で指定されると、セットされている紙媒体から画像をスキャナ１０８で読取る（Ｓ１）。スキャナ１０８で読取られた画像データは、画像メモリ１０５に記憶される。
【００３４】
次に、制御部１０３は、発呼処理を開始し、操作パネル１０９で指定されたＦＡＸ番号を宛て先として呼出信号を相手方の機器に送信する（Ｓ２）。この際、ユーザが正しいＦＡＸ番号を指定しても、ファクシミリ装置１００が誤った機器に接続されてしまうことがある。
【００３５】
そして、呼出信号を受信した相手方の機器から受信機情報が返信されると（Ｓ３）、制御部１０３は、操作パネル１０９で今回指定されたＦＡＸ番号がテーブル１０６Ａに登録されているかどうか判定する（Ｓ４）。ここで、Ｓ４の判定否定では、ユーザが、あるＦＡＸ番号を操作パネル１０９で初めて指定した場面を想定している。
【００３６】
操作パネル１０９で今回指定されたＦＡＸ番号がテーブル１０６Ａに登録されていなければ、制御部１０３は、指定されたＦＡＸ番号と、受信側の機器から送信された受信機情報と、を対応付けてテーブル１０６Ａに記録する（Ｓ５）。このようにして、テーブル１０６Ａには、ユーザによりＦＡＸ番号が操作パネル１０９で初めて指定されるたびに、指定されたＦＡＸ番号と、相手側の機器から送信された受信機情報と、が対応付けて記録される（図３参照）。そして、制御部１０３は、画像データを電話回線１２０を介して相手側の機器に送信し（Ｓ７）、通信内容送信フェーズ終了後、ＦＡＸ通信を切断する（Ｓ８）。
【００３７】
一方、操作パネル１０９で今回指定されたＦＡＸ番号がテーブル１０６Ａに登録されていれば、制御部１０３は、Ｓ３で今回取得した受信機情報と、操作パネル１０９で今回指定されたＦＡＸ番号に対応する過去の受信機情報と、が一致するかどうかテーブル１０６Ａに基づいて判定する（Ｓ６）。Ｓ６では、接続した通信相手の機器が本当に目的の機器であるかどうかの確認をＦＡＸ送信側が行っている。ここで、Ｓ６の判定方法としては、ＣＳＩとＮＳＦとＤＩＳの内のいずれか１つの情報のみを用いて判定を行う第１判定方法と、ＣＳＩとＮＳＦとＤＩＳの内のいずれか２つの情報を用いて判定を行う第２判定方法と、ＣＳＩとＮＳＦとＤＩＳの全ての情報を用いて判定を行う第３判定方法と、があり、いずれの判定方法を採用しても構わない。第２と第３の判定方法は、ＣＳＩとＮＳＦがオプションであり、通信相手の機器から返信されてこないことを想定した判定方法となっている。
【００３８】
ここで、上記Ｓ６の判定方法について図３を用いて具体的に説明する。まず、今回指定されたＦＡＸ番号が「０６００１００１」である場合（図３の一番上のＦＡＸ番号）、そのＦＡＸ番号に対応する過去の受信機情報は、ＣＳＩが「０６００１００２」で、ＮＳＦが「Ｓ電気／ＳＪ０１」で、ＤＩＳが「Ａ、Ｂ、Ｃの機能」である。この場合、Ｓ３で今回取得した受信機情報が、ＣＳＩが「０６００１００２」で、ＮＳＦが「Ｓ電気／ＳＪ０１」で、ＤＩＳが「Ａ、Ｂ、Ｃの機能」である場合、Ｓ６の判定は肯定となる。一方、Ｓ３で今回取得した受信機情報が、ＣＳＩが「０６００１００３」で、ＮＳＦが「Ｓ電気／ＳＪ０１」で、ＤＩＳが「Ａ、Ｂ、Ｃの機能」である場合、Ｓ６の判定は否定となる。ここで、今回と過去のＣＳＩが異なっているということは、今回の接続が誤接続である可能性が高い。そのため、後述のＳ８でＦＡＸ通信を切断している。
【００３９】
なお、ＣＳＩのみを用いる第１判定方法を採用した場合、過去の受信機情報の内のＣＳＩである「０６００１００２」と、Ｓ３で今回取得した受信機情報の内のＣＳＩである「０６００１００３」と、だけを判定することになる。また、第1判定方法では、国際電話を想定し、ＣＳＩの全ての桁を比較するのでなく、ＣＳＩの一部の桁（例えば後ろ６桁）を比較しても構わない。
また、今回指定されたＦＡＸ番号が「０３０２１１１３」である場合（図３の一番下のＦＡＸ番号）、ＣＳＩの登録がない。この場合でも、ＣＳＩとＮＳＦの２つの情報、又はＮＳＦとＤＩＳの２つの情報を用いて判定を行う第２判定方法を採用すれば、少なくともＮＳＦの情報を用いて判定できる。例えば、制御部１０３は、過去の受信機情報の内のＮＳＦである「Ｓ電気／ＳＪ０８」と、Ｓ３で今回取得した受信機情報の内のＮＳＦと、を判定することになる。そのため、オプション情報であるＣＳＩの登録がされていない場合でも、受信機側の機種等が異なっている場合には、今回の接続が誤接続であるとＳ６で判定できる。
また、今回指定されたＦＡＸ番号が「０３００００１１」である場合（図３の一番下から２番目のＦＡＸ番号）、ＮＳＦとＣＳＩの登録がない。この場合でも、ＣＳＩとＮＳＦとＤＩＳの３つの情報を用いて判定を行う第３判定方法を採用すれば、少なくともＤＩＳの情報を用いて判定できる。例えば、制御部１０３は、過去の受信機情報の内のＤＩＳである「Ａ、Ｄ、Ｅの機能」と、Ｓ３で今回取得した受信機情報の内のＤＩＳと、を判定することになる。そのため、オプション情報であるＣＳＩとＮＳＦの登録がされていない場合でも、受信機側で設定されている機能が異なっている場合には、今回の接続が誤接続であるとＳ６で判定できる。
【００４０】
上記Ｓ６において両受信機情報が一致すれば、制御部１０３は、画像データを電話回線１２０を介して相手側の機器に送信し（Ｓ７）、通信内容送信フェーズ終了後、ＦＡＸ通信を切断する（Ｓ８）。
【００４１】
一方、両受信機情報が一致しなければ、制御部１０３は、通信内容送信フェーズに遷移せずにＦＡＸ通信を切断して、画像データの送信を禁止する（Ｓ８）。これにより、誤接続した機器に通信内容を送信してしまうことを防止できる。従って、通信内容が第三者に漏れてしまうのを防止できる。
【００４２】
また、本発明の実施形態は、以下の変形例を採用することができる。
【００４３】
相手側のＦＡＸ装置が、新しいＦＡＸ装置に入れ替わることもある。
そこで、本実施形態では、相手側のＦＡＸ装置が入れ替わった場合にテーブル１０６Ａの内容を最新の情報に更新する。具体的には、以下のように構成する。
【００４４】
図５は、本発明の実施形態の変形例であるファクシミリ装置の制御部が行う動作を示すフローチャートである。この動作は、図４の動作にＳ１１〜Ｓ１５を追加した動作であり、その他の処理（Ｓ１〜Ｓ８）については同じである。
【００４５】
制御部１０３は、Ｓ６において両受信機情報が一致しないと判定すると、前回の受信機情報がＲＡＭ１０４Ｂに保存されているかどうか判定する（Ｓ１１）。
なお、ＲＡＭ１０４Ｂが本発明の「記憶部」に相当する。
【００４６】
前回の受信機情報がＲＡＭ１０４Ｂに保存されていなければ、制御部１０３は、今回の受信機情報を前回の受信機情報としてＲＡＭ１０４Ｂに記録する（Ｓ１２）。そして、制御部１０３は、発呼処理を再び開始し、呼出信号を電話回線１２０を介して再送信する（Ｓ２）。
【００４７】
そして、受信機情報が再受信されると（Ｓ３）、相手側のＦＡＸ装置が入れ替わった場合、制御部１０３は、Ｓ４判定肯定からＳ６判定否定へと進み、前回の受信機情報がＲＡＭ１０４Ｂに保存されているかどうか判定する（Ｓ１１）。この判定は、2週目であればＳ１２で前回の受信機情報をＲＡＭ１０４Ｂに保存しているので、判定肯定となる。
【００４８】
次に、制御部１０３は、再受信した今回の受信機情報と、ＲＡＭ１０４Ｂに記憶されている前回の受信機情報と、が全て一致するかどうか判定する（Ｓ１３）。ここで、今回と前回の２回続けて受信機情報が同じであるということは、誤接続でなく、相手側のＦＡＸ装置が新しいＦＡＸ装置に入れ替わった可能性が高い。
【００４９】
そこで、両者が全て一致すれば、制御部１０３は、テーブル１０６Ａに記憶されている過去の受信機情報を再受信した受信機情報で上書きし、テーブル１０６Ａの内容を最新の情報に更新する（Ｓ１４）。例えば、再受信した受信機情報の、ＣＳＩが「０６００１００２」で、ＮＳＦが「Ｓ電気／ＳＪ０８」で、ＤＩＳが「Ａ、Ｂ、Ｃの機能」である場合、図３の一番上に示されている過去の受信機情報である「Ｓ電気／ＳＪ０１」「Ａ、Ｂ、Ｃの機能」を「Ｓ電気／ＳＪ０８」「Ａ、Ｂ、Ｅの機能」で上書きする（図６参照）。これにより、相手側のＦＡＸ装置が新しいＦＡＸ装置に入れ替わった場合でも、受信機情報が自動的に最新の情報に更新される。そのため、次回以降のＦＡＸ通信時に、接続した通信相手の機器が目的の機器であるかどうかの確認を行うことができる。よって、誤接続した機器に通信内容を送信してしまうことを防止できる。
【００５０】
なお、制御部１０３は、画像データを電話回線１２０を介して相手側の機器に送信し（Ｓ７）、通信内容送信フェーズ終了後、ＦＡＸ通信を切断する（Ｓ８）。そして、制御部１０３は、前回の受信機情報をＲＡＭ１０４Ｂから消去し（Ｓ１５）、本処理を終了する。
【００５１】
一方、Ｓ１３において両者が全て一致しなければ、制御部１０３は、通信内容送信フェーズに遷移せずにＦＡＸ通信を切断して、画像データの送信を禁止する（Ｓ８）。そして、制御部１０３は、前回の受信機情報をＲＡＭ１０４Ｂから消去し（Ｓ１５）、本処理を終了する。
【図面の簡単な説明】
【００５２】
【図１】本発明の実施形態であるファクシミリ装置の主要部の構成を示すブロック図
【図２】本発明の実施形態であるファクシミリ装置の伝送手順を示す図
【図３】登録メモリ１０６に記憶されているテーブル１０６Ａの内容を示す図
【図４】本発明の実施形態であるファクシミリ装置の制御部が行う動作を示すフローチャート
【図５】本発明の実施形態の変形例であるファクシミリ装置の制御部が行う動作を示すフローチャート
【図６】登録メモリ１０６に記憶されているテーブル１０６Ａが更新された後の内容を示す図
【符号の説明】
【００５３】
１００−ファクシミリ装置
１０１−インタフェース
１０２−回線制御回路
１０３−制御部
１０４Ａ−ＲＯＭ
１０４Ｂ−ＲＡＭ
１０５−画像メモリ
１０６−登録メモリ
１０６Ａ−テーブル
１０７−印字部
１０８−スキャナ
１０９−操作パネル
１１０−電源部
１２０−電話回線
２００−ファクシミリ装置
【図１】
2009188709.tif 000003
【図２】
2009188709.tif 000004
【図３】
2009188709.tif 000005
【図４】
2009188709.tif 000006
【図５】
2009188709.tif 000007
【図６】
2009188709.tif 000008